(57)【特許請求の範囲】
【請求項１】
少なくとも外表面を耐熱性電気絶縁層に形成している中空円筒状の基体と；
基体の少なくとも外面に帯状に固着される抵抗発熱体と；
抵抗発熱体の両端に電気的に接続される一対の電極と；
少なくとも抵抗発熱体の外面を被覆する電気絶縁性の保護層と；
を具備していることを特徴とする定着ヒータ。
【請求項２】
少なくとも外表面が耐熱性電気絶縁層に形成され、少なくとも一部が円弧状に形成されている中空筒状の基体と；
基体の少なくとも外面に帯状に固着される抵抗発熱体と；
を具備していることを特徴とする定着ヒータ。
【請求項３】
請求項１または２記載の定着ヒータと；
定着ヒータの抵抗発熱体に圧接するように対向配置されて、この定着ヒータからの熱を被定着体の画像を形成しているトナーに作用させるとともに、この被定着体を搬送する加圧ローラと；
を具備していることを特徴とする定着装置。
【請求項４】
請求項３記載の定着装置と；
媒体に形成された静電潜像にトナーを付着させて反転画像を形成し、この反転画像を被定着体に転写して所定の画像を形成する手段と；
を具備していることを特徴とする画像形成装置。
【発明の詳細な説明】
【０００１】
【発明の属する技術分野】
この発明は、ＯＡ機器，家庭用電気機器や精密製造設備などの小形機器類に装着されて用いられる薄形の定着ヒータ，およびこの定着ヒータを実装した複写機やファクシミリなどのトナー定着に用いられる定着装置ならびにこの定着装置を用いた画像形成装置に関する。
【０００２】
【従来の技術】
一般に、電子式複写機においては、トナー画像を形成した複写用紙を定着ヒータと加圧ローラとの間を直接、または耐熱シートを介して間接に挟圧しながら通過させ、このヒータの加熱によって複写用紙上のトナーを加熱，溶融し定着させるようになっている。
【０００３】
この種の従来の定着ヒータとしては特公平７−１１１６０６号公報や例えば図１５と図１６で示すように平板状に構成されたものが実用化されている。図１５，図１６で示す定着ヒータ１はアルミナ（Ａｌ２Ｏ３）セラミックスなどからなる細長い平板状の耐熱性・電気絶縁性基板２の表面２ａ上に、例えば細長い帯状厚膜の抵抗発熱体３を例えば厚膜印刷等により形成している。この抵抗発熱体３の長手方向の例えば両端部に、一対の電極４ａ，４ｂを厚膜印刷等により基板表面２ａ上に形成して電気的に接続し、これら電極４ａ，４ｂに電気的に接続された図示しないコネクタを介して抵抗発熱体３に通電するようになっている。
【０００４】
また、図１６に示すように、基板１１の裏面１１ｂにはサーミスタ５を接着剤６により固着し、抵抗発熱体３の温度をサーミスタ５により検出し、図示しない温度制御回路により抵抗発熱体３の温度を制御するようになっている。
【０００５】
そして、抵抗発熱体３の外表面を保護層であるガラス質のオーバーコート層７により被覆して、耐摩耗性や耐衝撃性などの機械的強度の向上と、硫化や酸化等からの耐蝕保護と、このオーバーコート層７と接触する回転自在の加圧ローラ（図示せず）との電気的絶縁を図っている。このオーバーコート層７の頂面上には図１５に示すように例えばトナー像を形成したコピー用紙Ｐを図中矢印に示すようにｉｎからｏｕｔへ向けて抵抗発熱体２の幅方向へ摺動させ、加熱してトナー像をコピー用紙Ｐに定着させるようになっている。
【０００６】
【発明が解決しようとする課題】
しかしながら、このような従来の平板型の定着ヒータ１ではアルミナセラミックス製の基板２の片面（表面２ａ）に、帯状の抵抗発熱体３を形成しているので、この抵抗発熱体３の通電加熱時には、この抵抗発熱体３が形成されている基板表面２ａ側が先に熱膨張して基板２に反りが発生し、極端な場合には基板２に割れも発生するという課題がある。
【０００７】
また、このような抵抗発熱体３の昇温時のみならず、被定着物のコピー用紙Ｐの幅寸法が抵抗発熱体３の一部分だけを使用するように小さい場合にも、使用される部分は熱が奪われ易く、使用されない部分は熱が逃げにくいので、温度勾配が大きくなり、基板２に反りや割れが発生し易くなる傾向が生ずる。また、抵抗発熱体で発生した熱量を有効にコピー用紙Ｐに伝熱させるように基板の熱伝導率を適度に低くして、基板を介して逃げる熱の量を小さくする必要がある。
【０００８】
本発明はこのような事情を考慮してなされたもので、その目的は、基板の反りや割れを低減ないし防止することができる高効率の定着ヒータ，定着装置および画像形成装置を提供することにある。
【０００９】
【課題を解決するための手段】
請求項１記載の発明は、少なくとも外表面を耐熱性電気絶縁層に形成している中空円筒状の基体と；基体の少なくとも外面に帯状に固着される抵抗発熱体と；抵抗発熱体の両端に電気的に接続される一対の電極と；少なくとも抵抗発熱体の外面を被覆する電気絶縁性の保護層と；を具備していることを特徴とする。
【００１０】
ここで柱状とは角柱ないし円柱を含み、中空ないし中実でもよい。また、柱状基体は金属製基体の外表面を耐熱性・電気絶縁性皮膜により被覆したものでもよい。
【００１１】
この発明によれば、基体が中空円筒状であるので、曲げ強度が一般的に平板状基板等に比して大きい。したがって、この柱状基体に形成された抵抗発熱体の昇温時または部分使用に伴う温度差により部分的な熱膨張差が発生し、仮に反りが発生しようとしても、柱状基体にはそもそも曲がりが発生しにくい。このために、基体の反りや割れを低減ないし防止することができる。
【００１２】
さらに、この発明によれば、一対の電極を介して抵抗発熱体に通電することができる。また、電気絶縁性の保護層により抵抗発熱体の外表面を被覆しているので、耐摩耗性や耐衝撃性等の機械的向上と、酸化や硫化等からの耐蝕保護と、抵抗発熱体外面の電気的絶縁とを図ることができる。
【００１３】
請求項２記載の発明は、少なくとも外表面が耐熱性電気絶縁層に形成され、少なくとも一部が円弧状に形成されている中空筒状の基体と；基体の少なくとも外面に帯状に固着される抵抗発熱体と；を具備していることを特徴とする。
【００１４】
この発明によれば、中空筒状基体の少なくとも一部を円弧状に形成しているので、この中空筒状基体の曲げ強度は平板状基板よりも大きい。したがって、抵抗発熱体の昇温時または部分的使用により部分的な温度差が発生しても、この基体には曲がりがそもそも発生しにくい。
【００１５】
このために、基体の反りや割れを低減ないし防止することができる。
【００１６】
請求項３記載の発明は、請求項１または２記載の定着ヒータと；定着ヒータに圧接するように対向配置されて、この定着ヒータからの熱を被定着体の画像を形成しているトナーに作用させるとともに、この被定着体を搬送する加圧ローラと；を具備していることを特徴とする。
【００１７】
この発明によれば、請求項１または２記載の定着ヒータを有するので、これらとほぼ同様の作用効果を奏することができる。また、基体の反りや曲げを低減することができるので、この基体を有する定着ヒータに外接する加圧ローラとの加圧面を軸方向でほぼ均等圧にすることができる。このために、この定着ヒータによる加熱むらないし定着むらを低減ないし防止することができる。
【００１８】
請求項４記載の発明は、請求項３記載の定着装置と；媒体に形成された静電潜像にトナーを付着させて反転画像を形成し、この反転画像を被定着体に転写して所定の画像を形成する手段と；を具備していることを特徴とする。
【００１９】
この発明によれば、請求項３記載の定着装置を有するので、これとほぼ同様の作用効果を奏することができる。
【００２０】
【発明の実施の形態】
以下、図１〜図１４に基づいて本発明の実施の形態を説明する。なお、図１〜図１４中、同一または相当部分には同一符号を付している。
【００２１】
図１は本発明の第１の実施形態に係る定着ヒータ１０の表面平面図、図２は図１の一部切欠裏面図、図３は図１のIII−III線断面図であり、これらの図において、定着ヒータ１０は耐熱性と電気絶縁性材を有する細長い基板１１の表面１１ａ上に、その長手方向に沿って長い帯状かつ膜状の抵抗発熱体１２を形成している。
【００２２】
基板１１は窒化硅素（Ｓｉ３Ｎ４）により例えば長さ約３００mm，幅約８mm，厚さ約０．６〜約１mmの大きさの長方形の平板に形成されている。窒化硅素はアルミナ（Ａｌ２Ｏ３）に比べて下表のように熱膨張係数が小さく、また曲げ強度が大きい。
【００２３】
【表１】
0003741810.tif 000002
【００２４】
そして、抵抗発熱体１２は例えば長さ約２３０mm，厚さ約１０μｍの銀・パラジウム（Ａｇ・Ｐｄ）合金やニッケル・錫（Ｎｉ・Ｓｎ）合金，ＲｕＯ２合金等を主体とする厚膜により形成されている。
【００２５】
抵抗発熱体１２はその一端部，または両端部に、その一部上に重ねて、銀あるいは銀・白金合金（Ａｇ・Ｐｔ），銀・パラジウム合金（Ａｇ・Ｐｄ）等の良導電体からなる膜を形成して一対の電極１３ａ，１３ｂを形成して、抵抗発熱体１２に電気的に接続している。一対の電極１３ａ，１３ｂには図示しないコネクタを介して抵抗発熱体１２に通電するようになっている。
【００２６】
そして、抵抗発熱体１２と一対の電極１３ａ，１３ｂの内端部外表面の全面を、電気絶縁性を有する保護層であるガラス質のオーバーコート層１４により被覆して、耐摩耗性や耐衝撃性などの機械的強度の向上と、硫化や酸化等からの耐蝕保護と、後述する加圧ローラ等との電気的絶縁を図っている。
【００２７】
一方、図２，図３に示すように基板１１は、その裏面（他面）１１ｂ側に、一対の配線導体１５ａ，１５ｂを並設している。これら配線導体１５ａ，１５ｂは銀（Ａｇ）、白金（Ｐｔ）、金（Ａｕ）や銀・白金（Ａｇ・Ｐｔ）合金、銀・パラジウム（Ａｇ・Ｐｄ）合金などを主体とし、膜厚が５〜３０μｍである。これら配線導体１５ａ，１５ｂの一端（図２では左端）に端子部１６ａ，１６ｂを一体に連成している。
【００２８】
そして、配線導体１５ａ，１５ｂの各先端部は基板裏面１１ｂのほぼ中央部（基板表面１１ａの抵抗発熱体１２の中央部真裏）で終端し、これら終端部上にチップ状のサーミスタ１７を跨架し、その両側端部を基板裏面１１ｂに例えばエポキシ系等の接着剤１８により固着している。
【００２９】
サーミスタ１７は抵抗発熱体１２の温度を基板１１を介して検出し、この検出温度信号を図示しない温度制御回路にフィードバックして抵抗発熱体１２に印加する電力を制御することにより抵抗発熱体１２の温度を一定に保持するものである。
【００３０】
図４に示すように、サーミスタ１７は例えばアルミナ（Ａｌ２Ｏ３）セラミックスからなる厚さ約２５０μｍの矩形平板状の基体１７ａの図中上面の中央部上に、マンガン、コバルト、ニッケルなどの酸化物（ＭｎＯ２、Ｃｏ３Ｏ４、ＮｉＯ）を混合して形成した薄膜からなる感温部１７ｂを形成し、この感温部１７ｂの両端部に連接して例えば白金（Ｐｔ）層もしくはＡｕ層などからなる薄膜電極１７ｃ，１７ｄを形成している。感温部１７ｂの外面（図４では上面）は、この膜が大気中の温度や不純物ガスにより特性劣化を起こすのを防ぐために、例えば酸化硅素（ＳｉＯ２）からなる層厚が５〜６０μｍのオーバーコート層１７ｅにより全面的に被覆されている。
【００３１】
なお、図４中、符号１９は導電性接着剤である。また、上記の各膜、層は基板１１やサーミスタ基体１７ａに対比して薄膜であるが、図１では説明の便宜上、誇張して厚く示しており、寸法上比例しているものでもない。
【００３２】
このチップ形状のサーミスタ１７は、温度係数が負の大きな値を有する電気抵抗体を用いたもので、温度上昇したときに抵抗値が大きく低下し、温度を抵抗値の大小に変換する熱検出素子からなるセンサである。
【００３３】
したがって、図示しないコネクタを介して一対の電極１３ａ，１３ｂ間に所定の電圧が印加されると、抵抗発熱体１２が通電されて発熱し、この発熱がガラス質のオーバーコート層１４の頂面上を図１に示すように入側ｉｎから出側ｏｕｔへ幅方向に摺動する被定着体であるコピー用紙Ｐを加熱して、トナー像をコピー用紙Ｐに定着させることができる。
【００３４】
そして、基板１１を熱膨張係数が小さく、かつ曲げ強度が高い窒化硅素により形成しているので、抵抗発熱体１２の昇温時、または抵抗発熱体１２の長さよりも幅寸法が小さい複写用紙等被定着物Ｐを加熱することにより抵抗発熱体１２を部分的に使用する場合に、基板１１に発生する部分的な温度差による熱膨張差を縮小させることができる。
【００３５】
したがって、基板１１の反りを低減ないし防止することができると共に、その反りによる曲げや割れを低減ないし防止することができる。このために、オーバーコート層１４の外面と接する加圧ローラ（図示せず）との加圧面を軸方向でほぼ均等圧にすることができるので、このオーバーコート層１４の外面と加圧ローラの外面との間を通過するコピー用紙Ｐをほぼ均等に加圧することができ、加熱ないし定着むらを低減ないし防止することができる。
【００３６】
また、基板１１の熱膨張係数が小さいので、基板１１の部分的な温度差に伴う熱膨張差による応力が、サーミスタ１７を基板裏面１１ｂに固着している樹脂製接着剤１８に作用して基板１１から剥離させるのを防止することができる。つまり、サーミスタ１７が基板１１から脱落するのを防止することができる。
【００３７】
さらに、基板１１を形成する窒化硅素は熱伝導性が低いので、この基板１１上で通電加熱される抵抗発熱体１２の温度を所定の発熱温度に素早く到達させることができ、温度の立上げを早めることができる。
【００３８】
図５は本発明の第２の実施形態に係る定着ヒータ２０の斜視図、図６は図５の正面図、図７は図６のVII−VII線断面図である。この定着ヒータ２０は基板２１をアルミナセラミックス（Ａｌ２Ｏ３）またはムライト（３Ａｌ２Ｏ３・２ＳｉＯ２）セラミックス等の耐熱性・電気絶縁性材料により細長中空円柱状、つまり円筒に形成した点に特徴がある。
【００３９】
つまり、この円筒状基体２１は例えばその両端を開口させた円筒体よりなり、その円弧状頂部の外表面には、上記実施形態とほぼ同様に、抵抗発熱体２２を銀・パラジウム（Ａｇ・Ｐｄ）合金やニッケル・錫（ＮｉＳｎ）合金，ＲｕＯ２合金等を主体とする厚膜により所定幅の帯状に軸方向に沿って形成固着すると共に、この抵抗発熱体２２の長手両端部上に一部を重ねて電気的に接続された膜状の一対の電極２３ａ，２３ｂを形成している。また、抵抗発熱体２２の全外表面には基体２１の外表面上にて、保護層であるガラス質のオーバーコート層２４により被覆するように形成している。
【００４０】
また、円筒状基体２１の内面には図示しないサーミスタを抵抗発熱体２２の中央部裏側にて固着する一方、一対の電極２３ａ，２３ｂには図示しないコネクタを介して抵抗発熱体２２に通電するようになっている。
【００４１】
そして、このように構成された定着ヒータ２０を図示しない複写機等の筺体の所定位置に基体２１を回転させないように固定して取り付ける。
【００４２】
したがって、図示しないコネクタを介して一対の電極２３ａ，２３ｂ間に所定の電圧が印加されると、抵抗発熱体２２が通電されて発熱し、この発熱がガラス質のオーバーコート層２４の円弧状頂面上を入側ｉｎから出側ｏｕｔへ幅方向に摺動する被定着体であるコピー用紙Ｐを加熱して、トナー像をコピー用紙Ｐに定着させることができる。
【００４３】
そして、基体２１を曲げ強度を増強させることができる円筒状に形成しているので、抵抗発熱体２２の昇温時または部分的使用に伴う温度差により基体２１に反りが発生しようとしても、その反りを低減ないし防止することができる。したがって、基体２１の反りが極端に進行した場合の基体２１の曲げや割れを低減ないし防止することができる。このために、上記平板型の定着ヒータ１０と同様に被定着物の定着むらを低減ないし防止することができる。
【００４４】
図８は本発明の第３実施形態に係る定着ヒータ２０Ａの一部切欠正面図、図９は図８の左側面図であり、この定着ヒータ２０Ａは図５〜図７で示す実施形態に係る円筒状基体２１の軸方向両端部に、一対の取付溝２５ａ，２５ｂをそれぞれ形成した点に特徴がある。
【００４５】
各取付溝２５ａ，２５ｂは例えば円筒状基体２１の両端中心を直径方向に通るように、基体２１の両端面を所定幅の溝でそれぞれ切り欠いて形成されている。
【００４６】
したがって、これら取付溝２５ａ，２５ｂに、図示しない複写機等の組込機器の筺体の取付用突部に係合させることにより、定着ヒータ２０Ａの位置決めの容易性と精度とを共に向上させることができる。
【００４７】
図１０は本発明の第４の実施形態に係る定着ヒータ２０Ｂの一部切欠正面図、図１１は図１０の左側面図であり、この定着ヒータ２０Ｂは図５〜図７で示す実施形態に係る円筒状基体２１の軸方向両端部に、一対の取付用切欠２６ａ，２６ｂをそれぞれ形成した点に特徴がある。
【００４８】
各取付用切欠２６ａ，２６ｂは例えば円筒状基体２１の両端において、その中心を直径方向に通る水平中心線よりも下方の下半部を切り欠いて形成されている。
【００４９】
したがって、これら取付用切欠２６ａ，２６ｂに、図示しない複写機等の組込機器の筺体の取付用突部に係合させることにより、定着ヒータ２０Ｂの位置決めの容易性と精度とを共に向上させることができる。
【００５０】
なお、上記取付溝２５ａ，２５ｂや取付用切欠２６ａ，２６ｂの形状はこれらに限定されるものではなく、これら定着ヒータ２０Ａ，２０Ｂを組み込もうとする組込機器の取付部の形状に係合し得る形状に形成すればよく、外方に突出する突部でもよい。
【００５１】
また、上記各実施形態では基体２１を円筒状に形成した場合について説明したが、本発明はこれに限定されるものではなく、例えば図１２で示すかまぼこ状基体２１Ａのように、少なくとも基体の一部を円弧状に形成してもよい。これによっても基体２１Ａの曲げ強度を増強することができるので、基体２１Ａの反りや割れを低減ないし防止することができる。
【００５２】
また、図１２ではかまぼこ状基体２１Ａの円弧状部２１ｂの外表面に抵抗発熱体２２を形成した場合を図示しているが、抵抗発熱体２２の形成位置はこれに限定されるものではなく、例えばかまぼこ状基体２２の平坦状底面２１ｃの外面に抵抗発熱体２２を形成してもよく、さらに、上記各基体２１，２１Ａを中実に形成してもよい。
【００５３】
図１３は本発明の第５実施形態に係る画像形成装置の一種である電子式複写機３１の実施形態の全体構成を示しており、この複写機３１は筐体３２内に、カセット３３内の複写用紙Ｐを引き込み、これに図示しない原稿の画像に対応したトナー画像を形成する画像形成部３４と、このトナー画像を複写用紙Ｐに定着させる定着装置３５とを内蔵している。
【００５４】
定着装置３５は例えば図１４に示すように構成され、回転する加圧ローラ３６に対向させて上記定着ヒータ１０，２０，２０Ａ，２０Ｂのいずれか、例えば１０を外接させて並設しており、この定着ヒータ１０を樹脂製円柱状のホルダー３７の取付溝の底部上に固着している。定着ヒータ１０の外周面には加圧ローラ３６のシリコーンゴム層３８を弾性的に圧接させている。
【００５５】
そして、定着ヒータ１０は一対の電極１３ａ，１３ｂに接触した燐青銅板等からなる弾性が付与されたコネクタを通じて通電されて抵抗発熱体１２が発熱し、この発熱は基板１１全体とオーバーコート層１４とに与熱される。したがって、このオーバーコート層１４の図示しない耐熱シートの外面と加圧ローラ３６のシリコーンゴム層３８との間で、トナー像Ｔを形成した複写用紙Ｐを定着ヒータ１０により加熱しつつ送ることにより、未定着トナー像Ｔを溶融し、複写用紙Ｐに定着させることができる。
【００５６】
そして、この定着ヒータ１０は上記したように、その基板１１を熱膨張率が小さく、かつ曲げ強度の大きい窒化硅素により形成しているので、基板１１の反りや曲げ、割れを低減ないし防止することができる。このために、定着ヒータ１０の長寿命化を図ることができると共に、この定着ヒータ１０と、加圧ローラ３６との加圧面を定着ヒータ１０のほぼ全長に亘って均圧化することができる。このために、複写用紙Ｐの加熱むら、ひいては定着むらを低減ないし防止することができる。
【００５７】
また、定着ヒータ２０，２０Ａ，２０Ｂを定着装置３５に組み込む場合にも、これらヒータ２０，２０Ａ，２０Ｂの基体２１，２１Ａが曲げ強度の大きい円筒体により形成されているので、定着ヒータ１０とほぼ同様の作用効果を奏するこくとができる。
【００５８】
【発明の効果】
以上説明したように請求項１の発明は、基体が中空円筒状であるので、曲げ強度が一般的に平板状基板等に比して大きい。したがって、この中空円筒状基体に形成された抵抗発熱体の昇温時または部分使用に伴う温度差により部分的な熱膨張差が発生し、仮に反りが発生しようとしても、中空円筒状基体にはそもそも曲がりが発生しにくい。このために、基体の反りや割れを低減ないし防止することができる。
【００５９】
請求項２記載の発明によれば、中空筒状基体の少なくとも一部を円弧状に形成しているので、この中空筒状基体の曲げ強度は平板状基板よりも大きい。したがって、抵抗発熱体の昇温時または部分的使用により部分的な温度差が発生しても、この基体には曲がりがそもそも発生しにくい。
【００６０】
このために、基体の反りや割れを低減ないし防止することができる。
【００６１】
請求項３記載の発明によれば、請求項１または２記載の定着ヒータを有するので、これらとほぼ同様の作用効果を奏することができる。また、基体の反りや曲げを低減することができるので、この基体を有する定着ヒータに外接する加圧ローラとの加圧面を軸方向でほぼ均等圧にすることができる。このために、この定着ヒータによる加熱むらないし定着むらを低減ないし防止することができる。
【００６２】
請求項４記載の発明によれば、請求項３記載の定着装置を有するので、これとほぼ同様の作用効果を奏することができる。
【図面の簡単な説明】
【図１】  本発明の第１の実施形態に係る定着ヒータの表面側の平面図。
【図２】  図１で示す定着ヒータの基板の一部切欠裏面図。
【図３】  図１のIII−III線断面図。
【図４】  図３のサーミスタ回りの拡大図。
【図５】  本発明の第２の実施形態に係る定着ヒータの斜視図。
【図６】  図５で示す実施形態の正面図。
【図７】  図６のVII−VII線断面図。
【図８】  本発明の第３の実施形態に係る定着ヒータの一部切欠正面図。
【図９】  図８の左側面図。
【図１０】  本発明の第４の実施形態に係る定着ヒータの一部切欠正面図。
【図１１】  図１０の左側面図。
【図１２】  本発明の第５の実施形態に係るかまぼこ形定着ヒータの横断面図。
【図１３】  本発明の第６の実施形態に係る画像形成装置である電子式複写機の全体構成図。
【図１４】  図１３で示す定着装置の要部拡大構成図。
【図１５】  従来の平板型定着ヒータの平面図。
【図１６】  図１５のXVI−XVI線断面図。
【符号の説明】
１０  平板形定着ヒータ
１１  基板
１１ａ  基板表面
１１ｂ  基板裏面
１２，２２  抵抗発熱体
１３ａ，１３ｂ、２３ａ，２３ｂ  一対の電極
１４，２４  オーバーコート層
２０，２０Ａ，２０Ｂ  円筒形定着ヒータ
２１  円筒形基体
２５ａ，２５ｂ  一対の取付溝
２６ａ，２６ｂ  一対の取付用切欠
３１  電子式複写機
３２  筐体
３３  カセット
３４  画像形成部
３５  定着装置
３６  加圧ローラ
３７  ホルダー
【図１】
0003741810.tif 000003
【図２】
0003741810.tif 000004
【図３】
0003741810.tif 000005
【図４】
0003741810.tif 000006
【図５】
0003741810.tif 000007
【図６】
0003741810.tif 000008
【図７】
0003741810.tif 000009
【図８】
0003741810.tif 000010
【図９】
0003741810.tif 000011
【図１０】
0003741810.tif 000012
【図１１】
0003741810.tif 000013
【図１２】
0003741810.tif 000014
【図１３】
0003741810.tif 000015
【図１４】
0003741810.tif 000016
【図１５】
0003741810.tif 000017
【図１６】
0003741810.tif 000018